(57)【要約】      （修正有）【課題】本体の中でパワーストーンが偏るのを防止する癒し器具を提供する。【解決手段】癒し器具１００は、メッシュ状の長方形の布の膜材を２枚重ね合わせて本体１を形成し、本体１の一方向に多数の直線縫いによる縫合部２を設け、長細の収納部３を多数形成する。収納部３には、多数のパワーストーン４が密に配設される。【選択図】図１
0003172348.tif 000002
【実用新案登録請求の範囲】
【請求項１】
２枚の通気性を備えた膜材を重ねて本体を形成すると共に当該膜材同士をパワーストーンの大きさに合わせた幅で接合して接合部の間に長細い収納部を形成し、当該収納部に多数の前記パワーストーンを密に配設したことを特徴とする癒し器具。
【請求項２】
前記収納部は、本体の一方向に略直線状に並設されていることを特徴とする請求項１に記載の癒し器具。
【請求項３】
前記膜材は、メッシュ状の布であることを特徴とする請求項１又は２に記載の癒し器具。
【考案の詳細な説明】
【技術分野】
【０００１】
本考案は、パワーストーンを用いた癒し器具に関するものである。
【背景技術】
【０００２】
最近はパワーストーン（登録商標）を用いて癒しを行うことが流行っている。ここでパワーストーンとは、宝石などの石であって身につけることで精神的な癒し効果を得られるものをいう。ユーザの中には、パワーストーンを身につけることで良い事が起こったり、災いから逃れることができたり、幸せになれたり等の信仰を持つ者もいる。一般的に、パワーストーンは、精神的な癒しが得られることから、これを携帯したり就寝時にそばに置いたりすることが多い。
【０００３】
しかしながら、パワーストーンそのものを携帯するのは嵩張るうえ、鞄等に収納し難いという問題点がある。また、就寝時に用いるといっても、せいぜい枕元におく程度であり、身に着けて寝ることは難しい。なお、真珠を袋に封入したものとしては、下記特許文献１に開示されたようなものがあるが、一方向に石が偏ってしまうという問題がある。
【先行技術文献】
【特許文献】
【０００４】
【特許文献１】特開２００７−３３０４４２号公報
【考案の概要】
【考案が解決しようとする課題】
【０００５】
解決しようとする問題点は、携帯し難く、使用用途も限られてしまう点である。また、袋に入れた場合には、中で石が偏ることである。
【課題を解決するための手段】
【０００６】
第１の考案に係る癒し器具は、２枚の通気性を備えた膜材を重ねて本体を形成すると共に当該膜材同士をパワーストーンの大きさに合わせた幅で接合して接合部の間に長細い収納部を形成し、当該収納部に多数の前記パワーストーンを密に配設したことを特徴とする。
【０００７】
細長い収納部にパワーストーンを密に配設することで、使用中にパワーストーンが本体の中で偏ることがなくなる。膜材は、例えばメッシュ状の布等である。また、前記細長い収納部は、直線状でも曲がっていても良い。
【０００８】
第２の考案に係る癒し器具は、上記考案において、前記収納部は、本体の一方向に略直線状に並設されていることを特徴とする。
【０００９】
略直線状に並設することで、一方向に直交する方向に巻きやすくなる。このため、癒し器具をコンパクトにできるので、携帯しやすい。
【００１０】
第３の考案に係る癒し器具は、上記考案において、前記膜材は、メッシュ状の布であることを特徴とする。
【００１１】
膜材がメッシュ状の布であることで、中のパワーストーンを見やすくなり、且つ、高い通気性が確保される。
【考案の効果】
【００１２】
本考案の癒し器具によれば、携帯し易く且つ幅広く使用できると共に、袋の中での偏りを防止できるという利点がある。
【図面の簡単な説明】
【００１３】
【図１】この考案の実施の形態１に係る癒し器具を示す説明図である。
【図２】図１の平面図の一部拡大図である。
【図３】この癒し器具の使用状態を示す説明図である。
【図４】図１の癒し器具の変形例を示す平面図である。
【図５】図１の癒し器具の別の変形例を示す平面図である。
【図６】この考案の実施の形態２に係る癒し器具を示す平面図である。
【図７】この考案の実施の形態２に係る別の癒し器具を示す平面図である。
【図８】この考案の実施の形態２に係る別の癒し器具を示す平面図である。
【考案を実施するための形態】
【００１４】
（実施の形態１）
図１は、この考案の実施の形態１に係る癒し器具を示す説明図であり、（ａ）は平面図、（ｂ）はＡ−Ａ断面図である。図２は、図１の平面図の一部拡大図である。この癒し器具１００は、ナイロン糸から編んだメッシュ状の長方形の布の膜材を２枚重ね合わせて本体１を形成し、本体１の一方向に多数の直線縫いによる縫合部（接合部）２を設け、長細の収納部３を多数形成した構成である。収納部３には、多数のパワーストーン４のさざれ石が収納されている。パワーストーン４は不定形であり大きさも不均一であるが、所定の選別基準により最大及び最小の大きさは大凡決まっている。例えば当該パワーストーン４は、小粒であり平均径が３ｍｍ以上１５ｍｍ以下である。
【００１５】
収納部３は本体１の一方向に直交する方向に複数並設される。収納部３の幅は、このような大きさや形状のパワーストーンが１個から３個入る寸法とする。収納部３の幅は、パワーストーン４の平均的な大きさを基準にして決定する。具体的には、収納部３の幅は３ｍｍ以上２０ｍｍ以下とするのが好ましい。メッシュ状の布の目合いは、１ｍｍ〜２ｍｍ程度とする。布をメッシュ状にするのは、中のパワーストーンが見えやすく且つ通気性を確保するためである。なお、布に代えて、シリコンゴム等からなる透明な樹脂シートに多数の穴を形成したものを用いても良い（図示省略）。このような樹脂シートを用いる場合、前記縫合部２はプレス溶着することで形成する。
【００１６】
収納部３の数は、癒し器具１００の本体１の大きさにより決まる。本体１の周囲には、装飾的な要素の強い布により縁取り５を施す。パワーストーン４は、収納部３の長手方向に連続的に密に配設される。これにより、本体１の一方向に略直線状に多数形成された収納部３に多数のパワーストーン４が封入された状態になり、外部からメッシュ状の布を通じて見えるようになる。
【００１７】
パワーストーン４としては、アクアマリン、アクアブルー、アパタイト、翡翠、アメジスト、アンバー、雲母、エメラルド、オニキス、オパール、ガーネット
、水晶、コーラル、サファイア、シトリン、スギライト、ソーダライト、トルコ石、ダイヤモンド、トパーズ、トルマリン、パール、ラピスラズリ、ルビー等を用いることができる。
【００１８】
この癒し器具１００では、一方向に多数の直線状の縫合部２を形成し、収納部３に沿って多数のパワーストーン４を封入した構成であるため、使用時においてパワーストーン４が本体１の中の一部に偏ることがなくなる。また、長細い収納部３に対して密にパワーストーン４を封入することで、長手方向の動きが規制される。このため、当該長手方向においてもパワーストーン４の偏りを防止できる。
【００１９】
次に、この癒し器具１００の使用方法について説明する。この癒し器具１００は、本体１の収納部３にパワーストーン４のさざれ石を封入することで、パワーストーン４を全体的かつ平面的に収納できるので、パワーストーン４を広い面積に対して用いることが可能となる。例えば、癒し器具１００をユーザの額の上にのせて用いたり、枕の上に敷いて寝たり、鞄に平面的に入れたりすることもできる。また、この癒し器具１００は、自宅、外出先、病院、仕事場等の様々な場所で使用可能である。更に、使用部位は前記例に限定されず、目の上、腰の上、おなかの上、手の上、のどの上等に載せて使用することもできる。
【００２０】
また、表裏面を直線的に縫合して各収納部３を形成しているので、当該縫合部２で自由に折り曲げることができる。図１の例の場合、一方向に略直線状に縫合部２が設けられているので、図３に示すように、当該縫合部２でロール状または蛇腹状に折り曲げて、コンパクトにできる。このため、癒し器具１００を携帯しやすく且つその使用範囲を広げることができる。
【００２１】
以上、この考案の癒し器具１００では、パワーストーン４を本体１の各収納部３に収納し、縫合部２で折り曲げて本体１をコンパクトにできるので、携帯に便利で且つ広範に使用できる。また、パワーストーン４が本体１の中に一部に偏るようなことが無くなる。
【００２２】
なお、上記縫合部２２を、図４に示すような波状にして収納部２３を形成しても良い。波状にすることで、癒し器具１５０のデザイン性が向上する。その他の構成は上記図１に示した癒し器具１００と同じである。なお、図４では、縫合部２２を判り易くするためパワーストーン４を一部のみに表示するが、実際は収納部２３全体にパワーストーン４が収納される。
【００２３】
また、図５に示すように、癒し器具１６０の収納部３を２列にしても良い。この場合の縁取り５１は、幅を大きくするとデザイン的に全体のバランスがとれ且つ使用しやすくなる。また、図１の癒し器具１００の収納部３を形成する方向を、図中縦方向としても良い（図示書略）。
【００２４】
（実施の形態２）
図６は、この考案の実施の形態２に係る癒し器具を示す平面図である。この癒し器具２００は、ナイロン糸から編んだメッシュ状の長方形の布を２枚重ね合わせて円形の本体２０１を形成し、本体２０１の一方向に渦巻き状の縫合部２０２を設け、渦巻き状の収納部２０３を形成した構成である。収納部２０３には、多数のパワーストーン４のさざれ石が収納されている。収納部２０３に収納するパワーストーン４は上記実施の形態１と同様のものである。
【００２５】
収納部２０３の幅は、上記パワーストーン４が１個から３個入る寸法とする。収納部２０３の幅は、パワーストーン４の平均的な大きさを基準にして決定する。具体的には、収納部２０３の幅は３ｍｍ以上２０ｍｍ以下とするのが好ましい。メッシュ状の布の目合いは、１ｍｍ〜２ｍｍ程度とする。また、本体２０１の周囲には、装飾的な要素の強い布により縁取り２０５を施す。パワーストーン２００は、収納部２０３に沿って連続的に配設される。これにより、渦巻き状に形成された収納部２０３に多数のパワーストーン４が封入された状態になり、外部からメッシュ状の布を通じて見えるようになる。
【００２６】
このような構成であっても、上記実施の形態１と同様、渦巻き状の細長い収納部２０３に対して密にパワーストーン４を封入することで、使用時におけるパワーストーン４の動きが規制され、当該パワーストーン４の偏りを防止できるようになる。
【００２７】
また、図７に示すように、癒し器具２５０の本体２５１をハート形状とし、縫合部２５２を略同心円状に設けることで複数の収納部２５３を略同心円状に形成し、この収納部２５３に多数のパワーストーン４を収納するようにしても良い。この場合も、パワーストーン４が細長い湾曲した収納部２５３の中に密に配設されるので、使用時におけるパワーストーン４の偏りを防止できる。
【００２８】
また、図８に示すように、癒し器具２６０の本体２６１をアイマスクの形状とし、縫合部２６３を図１に示した癒し器具１００と同様の直線状にして収納部２６３を並設し、この収納部２６３に多数のパワーストーン４を密に収納するようにしても良い。本体２６１の両端には、バンドを取り付ける環状部材２６５が設けられている。この癒し器具２６０は、アイマスクとして使用する際に、パワーストーン４が本体２６１の内部で偏るのを防止できる。
【符号の説明】
【００２９】
１００  癒し器具
１  本体
２  縫合部
３  収納部
４  パワーストーン
５  縁取り
【図１】
0003172348.tif 000003
【図２】
0003172348.tif 000004
【図３】
0003172348.tif 000005
【図４】
0003172348.tif 000006
【図５】
0003172348.tif 000007
【図６】
0003172348.tif 000008
【図７】
0003172348.tif 000009
【図８】
0003172348.tif 000010